(57)【要約】【課題】  引越主側が提供する不用品の処分を短時間で行うことができ、入札者側は可能な限り安い価格で希望の物を入手することが可能な不用品オークションシステムを提供する。【解決手段】  引越に際して不用の物品をオークションサイトに出品して処分を希望する引越主が有する引越主端末１００と、この引越主の引越荷物あるいは不要の物品を所定の場所へ配送する引越し業者が有する引越し業者側サーバ２００と、このオークションサイトを運営する運営者（運営会社）が有する運営側サーバ３００と、このオークションサイトに出品される物品のオークションに参加できてその入札が可能な入札者が有する入札者端末４００とが、それぞれインターネットを介して相互接続されている。【選択図】  図１
2008262298.tif 000002
【特許請求の範囲】
【請求項１】
引越に際して発生する不用品をオークションサイトに出品して処分を希望する引越主が有する引越主端末と、前記引越主の引越荷物あるいは不要の物品を所定の場所へ配送する引越し業者が有する引越し業者側サーバと、前記オークションサイトを運営する運営者が有する運営側サーバと、前記オークションサイトに出品される物品のオークションに参加できその入札が可能な入札者が有する入札者端末と、が通信回線網を介して接続された不用品オークションシステムであって、
前記引越し業者側サーバは、前記引越主から提供された不用品の不用品情報を収集して該不用品情報を前記運営側サーバへ送信し、
前記運営側サーバは、受信した前記不用品情報に基づき自らが開催するオークションサイトに前記不用品を出品物として登録するとともに所定の減額率で所定の時間内にオークションを行い前記入札者端末が前記所定の時間内に前記出品物の入札を行った場合に該入札の結果を前記引越し業者側サーバに送信し、
前記引越し業者側サーバは、該入札の結果および該入札にかかる不用品の配送に関する情報を前記引越主端末に送信する、
ことを特徴とする不用品オークションシステム。
【請求項２】
前記オークションは、ダッチ・オークション方式であることを特徴とする請求項１または２に記載の不用品オークションシステム。
【請求項３】
前記運営側サーバは、前記入札者端末が前記所定の時間内に前記出品物の入札を行わなかった場合に該入札の結果を前記引越し業者側サーバに送信し、前記引越し業者側サーバは、該入札の結果および該入札にかかる不用品の廃棄に関する情報を前記引越主端末に送信する、ことを特徴とする請求項１または２に記載の不用品オークションシステム。
【請求項４】
前記運営側サーバは、前記入札者端末による前記出品物に対する複数の入札が所定の単位時間にあった場合に、オークションの方式をダッチ・オークション方式から通常の高い入札額を提示した入札者へ出品物が落札されるオークション方式に切り替える制御を行うことを特徴とする請求項１〜３のいずれか１項に記載の不用品オークションシステム。
【請求項５】
前記不用品情報は、不用品の品名、不用品が属するカテゴリー、不用品の使用年数、不用品の破損状況、オークションでの希望落札価格、落札価格の減額率であることを特徴とする請求項１〜４のいずれか１項に記載の不用品オークションシステム。
【発明の詳細な説明】
【技術分野】
【０００１】
本発明は、引越しの際に発生する不用品の処分を代行して行う不用品オークションシステムに関する
【背景技術】
【０００２】
従来、引越しの際に発生する不用品は、粗大ゴミとして処分するか、リサイクル業者に引取ってもらうかといった方法であり、両者とも不用品を有料で廃棄していたが、このような作業は非常に面倒である。そこで、引越主は、引越し業者が不用品の処分を有料で引越し当日に引取るといったサービスを利用している。ある引越し業者においては、年間で約３０万件の引越しの受注があり（転勤（法人）６０％、個人（一般家庭３０％、１０％事務所）、引取る不用品は２０万点で、廃棄手数料が２〜３億円にもなる。
【０００３】
一方、引越主は、不用品として処分する物にもまだ使用可能な状態の物もあり、捨てるよりは誰かに安くても買ってほしいという希望があり、引越し前に処分することができれば、引越し代金を節約することができる。
【０００４】
そこで、最近では、一般ユーザでも参加が容易なインターネットオークションがあり、不用品を該インターネットオークションへ出品するという方法がある。しかし、出品した不用品が落札されたとしても、不用品が家具や家電製品で大型の物では、梱包や配送に手間がかかるといった問題がある。さらには、インターネットオークションへ出品する場合には、デジタルカメラやパソコンを所持していることが必須であり、所持していないまたは所持していたとしても操作や出品方法がわからないといった理由で、不用品を出品することへの弊害ともなっている。
【０００５】
そこで、引越主に手間を取らせることなく、不用品を再利用する引取先を見つけ、引取先への運送をも行う発明が特許文献１に提案されている。
この不用品処分引越システムによれば、引越業者の配達員が引越を行う引越主の元へ引越の見積もりを行うために訪問した時に、同時に引越において不用となる不用品の内容と引取の依頼方法を確認しながら、ネットオークションサイトへの出品登録を行い、ネットオークションサイトにおけるインターネット上のオークションの結果を引越業者と引越主に通知し、不用品が落札された場合には引越業者の配達員が落札された不要品を引越主の元へ回収に訪れ、回収した不用品をネットオークションの落札者へ配送するようになっている。
【特許文献１】特開２００３−１８７１１０号公報
【発明の開示】
【発明が解決しようとする課題】
【０００６】
しかしながら、上記した特許文献１で提案されている不用品処分引越しシステムによれば、以下のような問題があった。
（１）引越主側からすると、不用品を処分してその代金を引越し費用に充当すると引越し費用の節約につながるため、引越し前に処分ができて代金を回収できていることが望ましいが、オークションの性質上、決められた時間の範囲内での最も遅い時間に入札する場合が落札の可能性は大きいため、落札までに時間がかかり、引越し予定日までに代金回収が困難になるという問題があった。
（２）また、本来、このような不用品は、廃棄処分にしてもよい不用品であるので、中には低額であるいは無料で落札されて引き取ってもらうほうが資源の有効利用にもつながり、引越主側からしても、そのほうが余分な廃棄手続を取らなくて済むために早期に低額であるいは無料で落札されて引越準備に集中できることが望ましいが、従来のオークションシステムによれば、落札ギリギリまで落札されるか否かの状況を監視していなければならないため、引越準備に支障を来たすという問題があった。
（３）また、入札者側からすると、１円でも安い価格で落札できればお得感も得られるが、出品物に対して複数の入札者が入札すると、入札金額が吊り上ってしまい、不用品を安い金額で落札したいという希望を満たすことができないという問題があった。
【０００７】
従って、本発明の目的は、引越主側からすると不用品の処分を短時間で行うことができ、入札者側からすると、可能な限り安い価格で希望の物を入手することが可能な不用品オークションシステムを提供することにある。
【課題を解決するための手段】
【０００８】
本発明は、上記の目的を達成するため、引越に際して発生する不用品をオークションサイトに出品して処分を希望する引越主が有する引越主端末と、前記引越主の引越荷物あるいは不要の物品を所定の場所へ配送する引越し業者が有する引越し業者側サーバと、前記オークションサイトを運営する運営者が有する運営側サーバと、前記オークションサイトに出品される物品のオークションに参加できその入札が可能な入札者が有する入札者端末と、が通信回線網を介して接続された不用品オークションシステムであって、  前記引越し業者側サーバは、前記引越主から提供された不用品の不用品情報を収集して該不用品情報を前記運営側サーバへ送信し、前記運営側サーバは、受信した前記不用品情報に基づき自らが開催するオークションサイトに前記不用品を出品物として登録するとともに所定の減額率で所定の時間内にオークションを行い前記入札者端末が前記所定の時間内に前記出品物の入札を行った場合に該入札の結果を前記引越し業者側サーバに送信し、前記引越し業者側サーバは、該入札の結果および該入札にかかる不用品の配送に関する情報を前記引越主端末に送信する、ことを特徴とする不用品オークションシステムを提供するものである。
【０００９】
以上の構成において、前記オークションは、ダッチ・オークション方式であることが望ましい。
【００１０】
また、前記運営側サーバは、前記入札者端末が前記所定の時間内に前記出品物の入札を行わなかった場合に該入札の結果を前記引越し業者側サーバに送信し、前記引越し業者側サーバは、該入札の結果および該入札にかかる不用品の廃棄に関する情報を前記引越主端末に送信する、ことを特徴とする請求項１または２に記載の不用品オークションシステム。
【００１１】
前記運営側サーバは、前記入札者端末による前記出品物に対する複数の入札が所定の単位時間にあった場合に、オークションの方式をダッチ・オークション方式から通常の高い入札額を提示した入札者へ出品物が落札されるオークション方式に切り替える制御を行うことが望ましい。
【００１２】
また、前記不用品情報は、不用品の品名、不用品が属するカテゴリー、不用品の使用年数、不用品の破損状況、オークションでの希望落札価格、落札価格の減額率であることが望ましい。
【発明の効果】
【００１３】
以上のとおり、本発明の不用品オークションシステムによれば、以下の効果を奏することができる。
＜引越主側＞
引越主が引越しをする際に発生する不用品を、引越し業者側が運営側のオークションサイトに出品してくれるため、引越主は手間を必要とせずに不用品を処分することができる。しかも、ダッチ・オークション形式でオークションが行われるため、比較的短時間でオークションの結論を得ることができる。更に、引越主は、出品した不用品が落札されれば、引越し費用を節約することができる。
＜引越し業者側＞
引越し業者側においては、落札された出品物を入札者へ配送する際に発生する配送料を得ることができると共に、不用品をオークションサイトへ出品することから配送までを受け付け、落札された時には、引越主の引越し費用を割引きできるという点をサービスとすることで、顧客の獲得を有利にすることができる。
＜オークション運営側＞
オークション運営側においては、一定の間隔で価格が低下するダッチ・オークション形式で出品物をオークションサイトで提供することができるため、出品物を安く手に入れたいと思う入札者を多くオークションサイトへ呼び込むことができる。
＜入札者側＞
入札側は、詳細な説明がされた出品物を安く、安心して入札することができる。
【発明を実施するための最良の形態】
【００１４】
次に、図面を参照して、本発明の不用品オークションシステムの実施形態について説明する。
図１は、本発明の不用品オークションシステムの概略構成を示す図である。
図１に示すように、この不用品オークションシステムは、引越に際して不用の物品をオークションサイトに出品して処分を希望する引越主が有する引越主端末１００と、この引越主の引越荷物あるいは不要の物品を所定の場所へ配送する引越し業者が有する引越し業者側サーバ２００と、このオークションサイトを運営する運営者（運営会社）が有する運営側サーバ３００と、このオークションサイトに出品される物品のオークションに参加できてその入札が可能な入札者が有する入札者端末４００とが、それぞれインターネットを介して相互接続されている。
【００１５】
以上の構成において、引越主端末１００は、ネットワーク接続機能を有するパーソナルコンピュータで構成されるが、ネットワーク接続機能を有するものであれば、移動通信端末（例えば、携帯電話やＰＤＡ（Ｐｅｒｓｏｎａｌ  Ｄｉｇｉｔａｌ  Ａｓｓｉｓｔａｎｔｓ））であってもよい。この引越主端末１００は、各種情報を引越し業者側サーバ２００へ送信したり、引越し業者側サーバ２００から受信したりする。
【００１６】
また、引越し業者側サーバ２００は、引越主の情報や引越主から提供された不用品の情報を管理し、引越主に代わってオークションサイトに代理出品を行うとともに、オークションの結果等の情報を引越主端末１００に送信する。
【００１７】
また、運営側サーバ３００は、引越し業者側サーバ２００から提供された不用品の情報に基づいてオークションを開催するとともに、オークションサイトの管理を行う。なお、このオークションサイトで行われるオークションは、いわゆるダッチ・オークション（Ｄｕｔｃｈ  Ａｕｃｔｉｏｎ）と呼ばれるオークションである。このオークションは、通常のオークションとは逆に、価格が順番に下がっていくものであり、売り手が設定する最高価格から順番に価格を下げていき、買い手は適当なところで入札し、その時点の価格で落札が行われるものである。このオークションによると、取引のスピードが高速化できるという効果がある。
【００１８】
また、入札者端末４００は、ネットワーク接続機能を有するパーソナルコンピュータで構成されるが、ネットワーク接続機能を有するものであれば移動通信端末であってもよい。この入札者端末４００は、運営側サーバ３００が提供するオークションサイトに出品されている不用品のオークションに参加して入札者情報を送信し、入札を行って入札状況等を閲覧したりする。
【００１９】
なお、運営側サーバ３００が提供するオークションサイトの運営を、引越し業者側の引越し業者側サーバ２００で運営をしてもよい。その場合には、運営側サーバ３００の構成を引越し業者側サーバ２００が有することになる。
【００２０】
図２は、図１に示す不用品オークションシステムの詳細な構成を示した図である。以下、構成各部毎に詳細に説明する。
【００２１】
（引越主端末１００）
引越主端末１００は、引越し業者側サーバ２００からの情報を受信したり引越し業者側サーバ２００に対して引越主の情報をユーザ情報として送信したりする送受信部１０１と、液晶ディスプレイ等からなり各種情報を画面表示する表示部１０２と、キーボードやポインティングデバイス等からなり引越主が所定の情報の入力あるいは所定の情報の閲覧等を行うための操作を行う操作部１０３と、ＣＰＵやメモリといったハードウェアから構成され各種制御ソフトウェアとこれらのソフトウェアを実行する制御部１０４と、から構成されている。
【００２２】
（引越し業者側サーバ２００）
引越し業者側サーバ２００は、引越主端末１００からの情報を受信したり、運営側サーバ３００へ不用品情報を送信したりする通信部２０１と、引越主の氏名や現住所、引越し先の住所等といった引越しに関する情報を管理する引越主情報管理部２０２と、引越主からオークションへの出品を依頼された不用品の情報（以下、不用品情報）を管理する不用品情報管理部２０３と、ＣＰＵやメモリといったハードウェアから構成され各種制御ソフトウェアとこれらのソフトウェアを実行する制御部２０４と、から構成されている。
なお、不用品情報とは、不用品の品名や品名が属するカテゴリー（例えば、家具や電化製品、洋服）、サイズ、使用年数、破損箇所、希望落札価格といったものである。
【００２３】
（運営側サーバ３００）
運営側サーバ３００は、引越し業者側サーバ２００と入札者端末４００とで情報の送受信を行う通信部３０１と、現在行われているオークションサイトでの入札状況を管理する入札状況管理部３０２と、出品者・入札者の氏名（名称）やＩＤ、パスワード、住所、電話番号を管理すると共に新規の出品者・入札者に対してＩＤとパスワードを発行する出品者・入札者情報管理部３０３と、引越し業者側サーバ２００から受信した不用品情報をオークションサイトへ掲載するためのフォーマットへ変換した出品物情報を管理する出品物情報管理部３０４と、ＣＰＵやメモリといったハードウェアから構成され各種制御ソフトウェアとこれらのソフトウェアを実行する制御部３０５と、から構成されている。
【００２４】
（入札者端末４００）
入札者端末４００は、運営側サーバ３００との間で情報の送受信を行う送受信部４０１と、液晶ディスプレイ等からなり各種情報を画面表示する表示部４０２と、キーボードやポインティングデバイス等からなり入札者が所定の情報の入力あるいは所定の情報の閲覧等を行うための操作を行う操作部４０３と、ＣＰＵやメモリといったハードウェアから構成され各種制御ソフトウェアとこれらのソフトウェアを実行する制御部４０４と、から構成されている。
【００２５】
次に、図３〜図８を参照して、オークションシステムの処理動作について説明する。
＜引越主情報・不用品情報の登録＞
図３は、引越し業者側サーバ２００における処理動作を示すフローチャートである。
まず、引越し業者側では、引越主から引越しの依頼を受け付ける（ステップＳ１００）。引越主は、電話・ファクシミリ・Ｅメール・ホームページ等を利用して引越し業者に対し引越しの依頼をする。引越し業者側は、引越しの依頼を受け付けると、引越主の自宅へスタッフが訪問し、引越しの際に運送する荷物や引越し日等から引越し料金を算出すると共に、不用品の有無について確認する（ステップＳ１０１）。
ここで、不用品とは、引越主が引越しの際に処分したい家具や電化製品等であり、まだ使用状態が可能な物や未使用の物である。
【００２６】
不用品が有る場合には（ステップＳ１０１／ＹＥＳ）、不用品情報を収集し不用品以外の引越荷物に係る引越料金を提示する（ステップＳ１０２）。ここで、不用品情報とは、品名や使用年数、破損状況である。スタッフは、不用品について引越主から聞いたり、スタッフ自身で確認したりする。さらに、不用品の正面・背面・横（右・左）の写真を撮る。この場合、スタッフは、引越主の自宅へ訪問するときに、不用品の情報を入力しその情報を引越業者側サーバ２００に送信可能な端末（移動通信端末を含む）と、不用品を撮影するためのデジタルカメラを所持しているものとする。
不用品が無い場合には（ステップＳ１０１／ＮＯ）、ステップＳ１０１で決定した引越し料金を引越主に提示する。
【００２７】
不用品が有る場合、スタッフは、引越主情報と共に不用品情報と撮影した写真を所持している端末に入力し、その場で引越し業者側サーバ２００へアップロードする（ステップＳ１０３）。なお、特にその場でアップロードする必要は必ずしもなく、自社へ戻ってから引越し業者側サーバ２００へアップロードしてもよい。また、引越し業者側サーバ２００において、不用品情報や写真をアップロードできるフォームを有するホームページを引越主に提供することで、引越主自身で上述した不用品情報の登録ができるようにしてもよい。
【００２８】
次に、図４を参照して、不用品情報について説明する。
図４（ａ）および（ｂ）は、不用品について収集した情報を示すテーブルである。
図４（ａ）に示すように、この不用品情報のテーブルには、引越主、ＩＤ、不用品の品名、不用品のカテゴリー、不用品の使用年数、不用品の破損状況、オークションでの希望落札価格（上限・下限）、オークションでの減額率が示されている。また、図４（ｂ）に示すように、このテーブルには、オークションに出品される物品の画像に関する情報（正面・背面・横（右・左）・破損部分）が示されている。
【００２９】
不用品の使用年数は、引越主とのヒアリングで決定し、破損状況は、スタッフが不用品を見て確認する。希望落札価格は、スタッフと引越主とで相談して不用品をオークションへ出品した時に、落札されてほしい最高価格（上限）と、最低価格（下限）と、減額率を決定する。減額率は、単位時間当たりで減額される金額を示したものであり、図４に示すように、ベッドの場合では、２時間毎に希望落札価格の上限の１５０００円から２００円を減額していく。画像は、スタッフが所持しているデジタルカメラ等で不用品の正面と、背面と、横（右・左）と、破損部分を撮影したものである。
【００３０】
図３に示すステップＳ１０３で引越主情報と不用品情報を引越し業者側サーバ２００へアップロードした際に、引越主情報管理部２０２が引越主ごとにＩＤとパスワードを発行し、引越主端末１００へ送信する。なお、スタッフが引越主へ訪問した際に所持する端末へ送信してもよく、その際には、引越主へ口頭で通知するようにしてもよい。
【００３１】
＜オークションサイトへの登録から落札＞
次に、図５を参照して、引越し業者側サーバ２００と運営側サーバ３００との処理動作について説明する。
図５は、引越し業者側サーバ２００と運営側サーバ３００との処理動作について示したフローチャートである。
まず、引越し業者側サーバ２００は、上記端末から引越主情報と不用品情報とを受信し（ステップＳ２００）、引越主情報は、引越主情報管理部２０２へ保存され、不用品情報は、不用品情報管理部２０３へ保存される。次に、引越し業者側サーバ２００は、通信部２０１を介して、運営側サーバ３００へ引越し業者のＩＤと不用品情報をアップロードする（ステップＳ２０１）。運営側サーバ３００は、受信した引越し業者のＩＤと不用品情報とを関連付け出品物情報として、出品物情報管理部３０４へ保存する。
【００３２】
出品物情報管理部３０４では、保存した出品物情報を運営側サーバ３００が運営するオークションサイトへ登録する（ステップＳ２０２）。
【００３３】
オークションの状況は、オークション状況管理部３０２が、図６に示すようなテーブルに基づいて管理している。図６には、出品物ごとに、現在の価格と希望落札価格（上限・下限）、開始日時、終了日時、減額率が示されており、一定時間の経過ごとに現在の価格が減額率に基づいて低下していく。
【００３４】
入札者は、入札者端末４００を利用して、オークションサイトから欲しい出品物を検索する。出品物情報がオークションサイトへ登録されると、オークションサイトを閲覧する入札者の入札者端末４００には、図７に示すような表示画面が表示される。図７に示すように、出品物の全体画像とサムネール形式で正面・背面・横（右・左）・破損箇所の画像がそれぞれ表示されている。また、出品物情報として、品名や使用年数、オークションの詳細な残り時間や数量、オークションの開始・終了日時、現在の価格、入札ボタンが表示されている。
【００３５】
入札者は、現時点で欲しい出品物が希望する価格の場合に入札ボタンを操作して入札する。図８は、オークションの状況を示す図であって、オークションの開始から終了までに減額率に基づいて価格が低下していく様子を示している。なお、この減額率は表示画面には表示されないように制御されている。そして、図８に示すように、時間帯Ａ（現在の価格が７８００円）において入札者が７９００円で入札した時、時間帯Ａで他の入札者による入札が無い場合には、その入札者が出品物を落札することができる（ステップＳ２０３／ＹＥＳ）。
【００３６】
出品物が落札されると、オークション状況管理部３０２が通信部３０１を介して引越し業者側サーバ２００へ落札通知が通知される（ステップＳ２０４）。ここで落札通知とは、入札の結果である落札の日時と落札金額と、不用品を落札者へ配送するために、不用品を引取りに引越主へ訪問する日時といった配送に関する情報である。そして、引越し業者側サーバ２００は、オークションサイトへ出品した不用品が落札されたことを引越主端末１００へ通知する（ステップＳ２０５）。また、運営側サーバ３００の入札者情報管理部３０３は、出品物を落札した入札者の入札者情報を引越し業者側サーバ２００へ送信することで、引越し業者側では、入札者情報に基づいて落札した出品物を配送することができる。
なお、引越し業者から引越主への落札の通知は、必ずしも引越し業者側サーバ２００から引越主端末１００へ行わなくてもよく、電話やＦＡＸでもよい。
【００３７】
時間帯Ｂにおいて複数の入札者による入札があった場合は（ステップＳ２０３／ＹＥＳ）、以下のようになる。
例えば、時間帯Ｂ（現在の価格が５０００円）で入札者であるＸ氏（入札額５１００円）、Ｙ氏（入札額５３００円）、Ｚ氏（入札額５６００円）がそれぞれ入札した場合には、Ｘ氏とＹ氏ならびにＺ氏とで通常のオークションのようにより高い入札額を提示した入札者へ出品物が落札される。仮に、０円の時間帯で複数の落札があった場合でも同様である。０円の時間帯で落札が１名の場合は、その１名の入札者に落札される。
なお、入札額は、予め設定されている希望落札価格より上回ることは無く、例えば、出品物が「ベッド」の場合、希望落札価格の上限が１５０００円であることから、入札額が１５０００円を超えることはない。また、入札者が入札額１５０００円を提示した時点で、その入札者が出品物を落札することができる。
さらに、時間帯Ｂにおいて複数の入札があった時には、それぞれの入札者に入札状況（他の入札者が提示した入札額）が公開される。
このように、所定の時間内に複数の入札があった場合には、入札状況管理部３０２は、それまでダッチ・オークション方式で行われていたオークションを通常のオークション方式へと切り替えるといった制御を行う。
【００３８】
また、落札されることがなく（ステップＳ２０６／ＮＯ）、オークションサイトへの登録の有効期限がきれた時は（ステップＳ２０７）、オークション状況管理部３０２は入札がなかった旨の通知を引越し業者側サーバ２００へ通知する。引越し業者側サーバ２００は、引越主端末１００へ出品した不用品が落札されなかった旨を通知する（ステップＳ２０８）。
【００３９】
引越し業者側サーバ２００は、引越主端末１００へ落札されなかった不用品を有料廃棄するか否かを引越主に通知する（ステップＳ２０９）。この有料廃棄するか否かの通知は、引越主端末１００へのＥメールあるいは電話またはファクシミリで行う。引越主が有料廃棄を依頼する場合は（ステップＳ２０９／ＹＥＳ）、引越し業者側へ所定の料金を支払い、不用品を引取ってもらう。また、有料廃棄を依頼しない場合（ステップＳ２０９／ＮＯ）、引越しの際に、不用品も一緒に引越し先へ配送してもらう（ステップＳ２１０）。
【００４０】
以上の説明から明らかなように、本発明に係る不用品オークションシステムでは、引越主が引越しをする際に発生する不用品を引越し業者側が運営側のオークションサイトに出品してくれるため、引越主は手間を必要とせずに不用品を処分することができる。しかも、ダッチ・オークション形式でオークションが行われるため、比較的短時間でオークションの結論を得ることができる。更に、引越主は、出品した不用品が落札されれば、引越し費用を節約することができる。
【００４１】
引越し業者側においては、落札された出品物を入札者へ配送する際に発生する配送料を得ることができると共に、不用品をオークションサイトへ出品することから配送までを受け付け、落札された時には、引越主の引越し費用を割引きできるという点をサービスとすることで、顧客の獲得を有利にすることができる。
【００４２】
運営側においては、一定の間隔で価格が低下するダッチ・オークション形式で出品物をオークションサイトで提供することができるため、出品物を安く手に入れたいと思う入札者を多くオークションサイトへ呼び込むことができる。
【００４３】
また、入札側は、詳細な説明がされた出品物を安く、安心して入札することができる。
【図面の簡単な説明】
【００４４】
【図１】本実施形態に係る不用品オークションシステムの構成を示した概略図である。
【図２】図１に示す不用品オークションシステムの詳細な構成を示した図である。
【図３】本実施形態に係る不用品オークションシステムにおいて、引越主情報と不用品情報の登録を行うための処理動作を示したフローチャートである。
【図４】図４（ａ）は、不用品の詳細な情報を示したテーブルであり、図４（ｂ）は、不用品の画像を示した図である。
【図５】本実施形態に係る不用品オークションシステムにおいて、引越し業者側サーバと、運営側サーバと、入札者端末とにおける処理動作を示したフローチャートである。
【図６】オークションへ参加している入札者の入札者端末に表示される出品物情報の画面表示例である。
【図７】出品物情報管理部に保存・管理されている出品物情報を示したテーブルである。
【図８】オークションの状況を示したグラフである。
【符号の説明】
【００４５】
１００    引越主端末
１０１、４０１    送受信部
１０２、４０２    表示部
１０３、４０３    操作部
１０４、２０４、３０５、４０４    制御部
２００    引越し業者側サーバ
２０１、３０１    通信部
２０２    引越主情報管理部
２０３    不用品情報管理部
３００    運営側サーバ
３０２    入札状況管理部
３０３    入札者情報管理部
３０４    出品物情報管理部
４００    入札者端末
５００    インターネット
【図１】
2008262298.tif 000003
【図２】
2008262298.tif 000004
【図３】
2008262298.tif 000005
【図４】
2008262298.tif 000006
【図５】
2008262298.tif 000007
【図６】
2008262298.tif 000008
【図７】
2008262298.tif 000009
【図８】
2008262298.tif 000010